(57)【要約】【課題】  記憶媒体内に複数のファイルが記憶される場合であって、それらのファイル内に含まれるデータを印刷したときに、得られた印刷物のデータとしての信頼性を高める。【解決手段】  試料に対して測定を行って測定データを得る測定装置２と、測定データ及びその測定データに基づいて生成された副次データを記憶する第１記憶領域２１と、測定データ又は副次データを印刷して印刷物を作製する印刷装置６と、印刷装置６によって印刷物が作製されたときに印刷物と同一の印刷時ファイル２５を生成するＣＰＵ７とを有する分析装置である。印刷時ファイル２５には測定データ又は副次データが含まれる。印刷装置６は印刷時ファイル２５を特定できる情報を印刷物に印刷する。印刷が行われたときに自動的に印刷時ファイル２５ができるので、印刷物とファイルとの関係を強く維持できる。【選択図】        図１
2006145371.tif 000002
【特許請求の範囲】
【請求項１】
試料に対して測定を行って測定データを得る測定手段と、
前記測定データ及び該測定データに基づいて生成された副次データを記憶する第１記憶手段と、
前記測定データ又は前記副次データを印刷して印刷物を作製する印刷手段と、
該印刷手段によって前記印刷物が作製されたときに前記印刷物と同一の印刷時ファイルを生成する印刷時ファイル生成手段とを有し、
前記印刷時ファイルには前記測定データ又は前記副次データが含まれ、
前記印刷手段は前記印刷時ファイルを特定できる情報を前記印刷物に印刷する
ことを特徴とする分析装置。
【請求項２】
請求項１記載の分析装置において、
前記印刷時ファイルを特定できる情報は、印刷時ファイルのファイル名、印刷を行った年月日時刻、又はそれらの両方であることを特徴とする分析装置。
【請求項３】
請求項１又は請求項２記載の分析装置において、
前記測定データ及び前記副次データを前記第１記憶手段とは異なったファイル形式で記憶する第２記憶手段と、
前記第１記憶手段内のデータ及び前記第２記憶手段内のデータを表示する表示手段と
を有することを特徴とする分析装置。
【請求項４】
請求項１から請求項３のいずれか１つに記載の分析装置において、前記第１記憶手段及び前記第２記憶手段は、前記測定データ及び前記副次データのそれぞれに対して履歴情報を記憶すると共に、前記印刷時ファイルを特定する情報をさらに記憶することを特徴とする分析装置。
【請求項５】
請求項３又は請求項４記載の分析装置において、前記第２記憶手段のファイル形式はＸＭＬ（eXtensible Markup Language）ファイルであることを特徴とする分析装置。
【請求項６】
請求項３から請求項５のいずれか１つに記載の分析装置において、前記第２記憶手段はチェックサムを含むことを特徴とする分析装置。
【発明の詳細な説明】
【技術分野】
【０００１】
本発明は、Ｘ線分析装置、熱分析装置、その他、各種の分析装置に関する。
【背景技術】
【０００２】
Ｘ線分析装置、熱分析装置等といった分析装置においては、オペレータの指示に従って所定の一連の処理が行われて、所望の測定データが分析結果として得られる。この求められた測定データは、一般に、電子データの形で所定の記憶媒体、例えば、ハードディスク型記憶装置、光磁気ディスク型記憶装置等といった機械式の記憶装置や、ＲＯＭ（Read Only Memory）、ＲＡＭ（Random Access Memory）等といった半導体記憶装置等、の内部に保存される。
【０００３】
保存される測定データは、一般に、１つではなく複数である。また、保存されるのは測定データだけでなく、測定データをデータ処理したときに得られる処理データや、測定データをデータ解析したときに得られる解析データ等といった副次データも含まれる。この副次データも１つではなく、通常は、複数である（例えば、特許文献１参照）。
【０００４】
なお、データ処理とは、生データに対して付随的な処理を行うことであり、そのような付随的な処理としては、平滑化処理、バックグラウンド除去処理等が考えられる。データ処理が生データを加工するだけで何等の新しいデータを生成しないのに対し、データ解析とは、得られた生データ又はデータ処理が施された後の測定データに基づいて、異なった新たなデータを作成する処理のことである。このようなデータ解析としては、例えば、Ｘ線回折プロファイルに対するピークサーチ処理が考えられる。
【０００５】
分析装置は印刷装置を備えることができる。オペレータは、必要に応じて、記憶媒体に保存された測定データや副次データをその印刷装置を用いて印刷することができる。オペレータは、その印刷物を見ることにより、測定データや副次データを視覚的に確認できる。
【０００６】
【特許文献１】特許第３０４８０２９号公報（第３頁、図５）
【発明の開示】
【発明が解決しようとする課題】
【０００７】
一般に、測定データや副次データはファイル名が付されたファイル内に格納された状態で記憶媒体内に記憶される。ファイル名は個々のデータに固有のものであり、全く同じファイル名が付された複数のファイルが記憶媒体内に存在することは無いのが普通である。データを保存する場合、同じファイル名で保存しようとすると、データは上書きされてしまうのが一般的である。
【０００８】
上記従来の分析装置において、印刷装置によって作製された印刷物には、印刷されたデータが記憶媒体内のどのファイルに対応するものであるかを示すために、データと共にファイル名も印刷されることがある。上記の通り、ファイル名は個々のデータに固有のものであり、従って、印刷物にファイル名を印刷するようにすれば、その印刷物が記憶媒体内のどのファイルに対応するものであるのかが容易に判明するように思われる。
【０００９】
しかしながら、そのような従来のファイル管理手法は、印刷物とファイル内データとの同一性をファイル名を介して推測しているだけであり、完全な同一性を確保しているわけではない。例えば、印刷物が作製された後に同一ファイル名のデータに改変や改ざんが加えられたとすると、印刷物に印刷されたデータは既に記憶媒体内には存在しないデータになってしまう。この場合には、手元にある印刷物が真正なものなのかどうかを判別することが全くできなくなる。
【００１０】
産業界においては、手元にある印刷物がコンピュータシステムに保存されている複数のデータのうちのどれに該当するかを証明したり、その印刷物がいずれの測定データ又はいずれの副次データに由来して作製されたものであるかを証明したりしたい場合がある。そのような場合として、例えば監査証跡がある。ここで、監査証跡とは、複数のデータファイルを監督して検査する際にその検査の証拠となる痕跡のことである。この監査証跡は、例えば、データがどのような履歴を経て作成されたのかとか、データが改ざんされたものであるかどうか等を検査する際にその検査の根拠として利用されるものである。
【００１１】
上記のように、従来の分析装置では、手元にある印刷物に印刷されているデータの内容と、その印刷物に印刷されているファイル名と同じファイル名によってコンピュータシステム内に保存されているファイル内のデータの内容とが、必ずしも完全に一致しているわけではないので、印刷物が作製された由来を検査する際、コンピュータシステム内に保存されている複数のファイルを確実な監査証跡として利用することができなかった。
【００１２】
本発明は、上記の問題点に鑑みて成されたものであって、記憶媒体内に複数のファイルが記憶される場合であって、それらのファイル内に含まれるデータを印刷したときに、得られた印刷物のデータと同一の電子ファイルを作成し、印刷物と同一の電子ファイルを保存して印刷物の信頼性を高めることを目的とする。
【課題を解決するための手段】
【００１３】
本発明に係る分析装置は、試料に対して測定を行って測定データを得る測定手段と、前記測定データ及び該測定データに基づいて生成された副次データを記憶する第１記憶手段と、前記測定データ又は前記副次データを印刷して印刷物を作製する印刷手段と、該印刷手段によって前記印刷物が作製されたときに前記印刷物と同一の印刷時ファイルを生成する印刷時ファイル生成手段とを有し、前記印刷時ファイルには前記測定データ又は前記副次データが含まれ、前記印刷手段は前記印刷時ファイルを特定できる情報を前記印刷物に印刷することを特徴とする。
【００１４】
上記構成において、「測定手段」は、例えば、Ｘ線分析装置、熱分析装置によって構成できる。Ｘ線分析装置は、試料にＸ線を照射したときにその試料から出る２次Ｘ線、例えば回折線、散乱線、蛍光Ｘ線等を検出することにより試料を分析するものである。また、熱分析装置は、試料の温度を変化させたときにその試料に発生する変化を測定するものである。
【００１５】
上記「第１記憶手段」は、任意の構造の記憶媒体、例えば、ハードディスク型記憶装置、光磁気ディスク型記憶装置等といった機械式の記憶装置や、ＲＯＭ、ＲＡＭ等といった半導体記憶装置等によって構成できる。
【００１６】
「測定データ」とは、測定の結果として得られたデータ、すなわち１次データであって、測定の目標である主たるデータのことである。例えば、Ｘ線分析装置を考えれば、何度の回折角度（２θ）の所にどのくらいの強さ（Ｉ）のＸ線が発生したかを表わすデータ（２θ，Ｉ）が測定データである。また、熱分析装置を考えれば、試料温度が何度（Ｔ）のときに試料の重量（Ｇ）に変化があったかを表すデータ（Ｔ，Ｇ）とか、試料温度が何度（Ｔ）のときに試料に熱的な変化（Ｑ）が発生したかを表データ（Ｔ，Ｑ）等が測定データである。
【００１７】
「副次データ」とは、上記の測定データを基礎として得られる何等かのデータのことであり、例えば、測定データにデータ処理を加えたときに得られる処理データや、測定データにデータ解析を加えたときに得られる解析データ等が考えられる。データ処理とは、生データに対して付随的な処理を行うことであり、そのような付随的な処理としては、平滑化処理、バックグラウンド除去処理等が考えられる。このデータ処理が生データを加工するだけで何等の新しいデータを生成しないのに対し、データ解析とは、得られた生データ又はデータ処理が施された後の測定データに基づいて、新たなデータを作成する処理のことである。このようなデータ解析としては、例えば、Ｘ線回折プロファイルに対するピークサーチ処理が考えられる。
【００１８】
「印刷手段」とは、例えば画像信号を入力してその画像信号に対応した像を印刷できる任意の装置によって構成できる。例えば、インクプロッタ、ドットプリンタ、インクジェットプリンタ、静電転写プリンタ、その他周知の印刷機器を用いて構成できる。「印刷時ファイル生成手段」とは、記憶媒体内にファイルを生成するための要素であり、例えば、コンピュータシステムを構成するＣＰＵ、メモリ、信号用バス等によって構成できる。
【００１９】
「印刷手段によって印刷物が作製されたとき」とは、例えば、（１）キーボード、マウス等といった入力装置を介してオペレータから印刷の指示があったときや、（２）ＣＰＵが印刷手段へ印刷の指示を送ったときや、（３）印刷手段において印刷が完了した後にその印刷手段からＣＰＵへ印刷完了信号が伝送されたとき等として設定することができる。また、「印刷物と同一の印刷時ファイルを生成する」とは、当該印刷物が印刷された時の表示内容と同一の表示内容を表示できる電子ファイルを生成することをいう。
【００２０】
「印刷時ファイルを特定できる情報」とは、例えば、（１）印刷時ファイルに付与された固有のファイル名や、（２）印刷時ファイルが生成されたときの年月日時刻、すなわち年月日時分秒を示す数字等を用いることができる。なお、印刷時ファイルとその基になったファイルとを比べると、データの内容は全く同じである。他方、印刷が行われた旨の情報、すなわち印刷履歴情報が、印刷時ファイルには含まれるのに対し、元のファイルにはその情報が含まれない。なお、印刷時ファイルに付与するファイル名は、その印刷時ファイルの元となるファイルのファイル名を含んだファイル名であること、すなわちツリー構造のファイル名であることが望ましい。こうすれば、印刷物がデータ的にどのような経緯で作製されたのかを容易に知ることができる。
【００２１】
上記構成の本発明に係る分析装置によれば、印刷物を作製したときにその印刷物に固有のファイルである印刷時ファイルが作成され、その印刷時ファイルの中には測定データや副次データ等といったデータそのものが含まれる。このため、印刷時ファイルの基になった測定データや副次データに改変や改ざんが加えられたとしても、印刷物に対応するファイルを残すことができる。また、印刷手段は印刷時ファイルを特定できる情報を印刷物に印刷するので、印刷物から印刷時ファイルを正確に特定できる。これらにより、記憶媒体内に複数のファイルが記憶される場合であって、それらのファイル内に含まれるデータを印刷したときに、得られた印刷物のデータとしての信頼性を高めることができる。
【００２２】
次に、本発明に係る分析装置は、前記測定データ及び前記副次データを前記第１記憶手段とは異なったファイル形式で記憶する第２記憶手段と、前記第１記憶手段内のデータ及び前記第２記憶手段内のデータを表示する表示手段とを、さらに有することが望ましい。
【００２３】
上記「第２記憶手段」は、上記「第１記憶手段」と同様に、任意の構造の記憶媒体、例えば、ハードディスク型記憶装置、光磁気ディスク型記憶装置等といった機械式の記憶装置や、ＲＯＭ、ＲＡＭ等といった半導体記憶装置等によって構成できる。
【００２４】
「第１記憶手段と第２記憶手段との間でファイル形式が異なる」とは、例えば、第１記憶手段の記憶形式がバイナリ形式であるときに、第２記憶手段の記憶形式がＸＭＬ（eXtensible Markup Language）形式である場合のことである。なお、第２記憶手段は、データベース形式の言語を使うことができるファイル形式であれば任意のファイル形式とすることができ、上記のＸＭＬ形式はもとより、マイクロソフト社製のデータベースアプリケーションであるアクセスで用いられているＭＤＢ形式を用いることも可能である。
【００２５】
なお、ＸＭＬのようなマークアップ言語として、ＸＭＬ以外にＨＴＭＬ（Hyper Text Markup Language）が知られている。ＸＭＬとＨＴＭＬとの間には、ＸＭＬがデータベース言語によって規定されたデータ等といったテキストデータ以外の任意のデータを使用できるのに対し、ＨＴＭＬはテキストデータだけしか使用できないという違いがある。この違いに鑑み、本発明において第２記憶手段で使用する言語としては、ＸＭＬであることが望ましい。
【００２６】
上記「表示手段」としては、例えばデータを画像として表示するものとしてＣＲＴ（Cathode Ray Tube）ディスプレイ、液晶ディスプレイ、プラズマディスプレイ、その他任意の構造のディスプレイを用いることができる。また、例えば印字によって表示を行うものとして、静電転写方式のプリンタ、インクジェット式のプリンタ、その他任意の構造の印字装置を用いることができる。
【００２７】
第２記憶手段を備えた上記の本発明に係る分析装置によれば、測定データ及び副次データが第１記憶手段及び第２記憶手段の２つの記憶手段に記憶されると共に、それらの記憶手段によって記憶された内容を表示手段によって表示できるようにしたので、いずれか一方のデータが改ざんされたとしても、その改ざんされたデータを他方のデータと共に表示してそれらのデータを比較することにより、測定データ等の改ざんがあったことを容易に確認できる。
【００２８】
また、第１記憶手段と第２記憶手段はファイル形式が異なるので、一方の記憶手段は改ざんされ易いかもしれないが扱い易いファイル形式によって構成し、他方の記憶手段は扱い難いかもしれないが容易には改ざんできないファイル形式によって構成するというファイル構造を構築できる。こうすれば、第１記憶手段と第２記憶手段とを１つのデータ管理構造として見た場合に、全体として改ざんし難いデータ管理構造を構築できる。
【００２９】
次に、本発明に係る分析装置において、前記第１記憶及び手段前記第２記憶手段は、前記測定データ及び前記副次データのそれぞれに対して履歴情報を記憶すると共に、前記印刷時ファイルを特定する情報をさらに記憶することが望ましい。ここで、「履歴情報」とは、「いつ、誰が、どのようにして」測定やデータ加工を行ったかを特定する情報のことである。すなわち、測定日、測定者、測定条件、あるいは、データ加工日、加工者、加工条件を表わす情報のことである。なお、これらの条件は、常に全部が履歴情報として含まれるものではなく、それらの少なくとも１つが含まれれば良い。
【００３０】
このように測定データと副次データとのそれぞれに履歴情報を付属させて形成すれば、それらの履歴情報を比較することにより、測定データ及び副次データのいずれか又は双方に改ざんが有ったか否かを簡単に判断できる。また、第１記憶手段と第２記憶手段の両方に履歴情報を記憶すれば、データ改変又はデータ改ざんがあったことを極めて容易且つ確実に判定できる。
【００３１】
次に、本発明に係る分析装置において、前記第２記憶手段はチェックサムを含むことが望ましい。こうすれば、第２記憶手段に測定データ及び副次データを一旦記憶した後、それらのデータを第２記憶手段から読み出したときに生成されるチェックサムと最初に記憶したチェックサムとを比較することにより、測定データ及び副次データに改ざんが有ったか否かを容易に判断できる。
【発明を実施するための最良の形態】
【００３２】
（第１実施形態）
以下、本発明に係る分析装置を一実施形態を例示して説明する。なお、本発明がその実施形態に限定されないことは、もちろんである。
【００３３】
図１は、本発明に係る分析装置の一実施形態を示している。この分析装置１は、適宜の物質を試料として測定を行う測定装置２と、キーボード、マウス等によって構成される入力装置３と、表示手段としての画像表示装置４と、印刷手段としてのプリンタ６と、ＣＰＵ（Central Processing Unit）７と、ＲＡＭ（Random Access Memory）８と、ＲＯＭ（Read Only Memory）９と、外部記憶媒体としてのハードディスク１１とを有する。これらの要素はバス１２によって互いにつながれている。
【００３４】
画像表示装置４は、ＣＲＴディスプレイ、液晶ディスプレイ等といった画像表示機器によって構成されており、画像制御回路１３によって生成される画像信号に従って画面上に画像を表示する。プリンタ６は、インクプロッタ、ドットプリンタ、インクジェットプリンタ、静電転写プリンタ、その他任意の構造の印刷用機器を用いることができる。なお、ハードディスク１１は、光磁気ディスク、半導体メモリ、その他任意の構造の記憶媒体によって構成することもできる。
【００３５】
ハードディスク１１の内部には、本実施形態に係る分析装置の全般的な動作を司る分析用アプリケーションソフト１６と、測定装置２を用いた測定処理の動作を司る測定用アプリケーションソフト１７とが格納される。また、ハードディスク１１の内部には、第１記憶手段として機能する第１記憶領域２１が設けられる。
【００３６】
測定用アプリケーションソフト１７は、測定装置２が所定の動作を行って所望の測定が行われるようにするプログラムソフトである。例えば、測定装置２がＸ線分析用の測定装置であれば、測定用アプリケーションソフト１７は、測定装置２を用いてＸ線分析を実行するためのプログラムである。また、測定装置２が熱分析用の測定装置であれば、測定用アプリケーションソフト１７は、測定装置２を用いて熱分析を実行するためのプログラムである。
【００３７】
Ｘ線分析測定として、いわゆるθ−２θ系のゴニオメータを用いた粉末測定を考えれば、Ｘ線分析測定は、例えば次のようにして行われる。すなわち、試料を一定の速度で連続的又は間欠的に回転（いわゆる、θ回転）させながら、Ｘ線源から発生するＸ線をその試料に照射する。試料に入射するＸ線とθ回転する試料との間で、いわゆるブラッグの回折条件が満足されるタイミングが到来すると試料から２次Ｘ線、例えば回折線が出る。この回折線は、試料に対して一定の速度で連続的又は間欠的に回転（いわゆる、２θ回転）するＸ線検出器によって受光され、さらに、そのＸ線検出器の出力端子に現れる電気信号に基づいて回折線のＸ線強度（Ｉ）が演算される。この結果、試料で回折した回折線の回折角度（２θ）とＸ線強度（Ｉ）とが一対のデータとして求められる。こうして得られた（２θ，Ｉ）のデータが測定データということになる。
【００３８】
Ｘ線分析測定としては、上記の粉末測定の他に、多くの異なった種類の測定方法がある。例えば、単結晶物質を試料とするＸ線測定、Ｘ線を線状に受光するＸ線検出器（いわゆる、１次元Ｘ線検出器）を用いたＸ線測定、Ｘ線を平面的に受光するＸ線検出器（わゆる、２次元Ｘ線検出器）を用いたＸ線測定、Ｘ線小角測定、微小部Ｘ線回折測定、Ｘ線応力測定、Ｘ線トポグラフ測定、その他、種々のＸ線測定方法がある。測定方法が異なれば、得られる測定結果も種々に変化する。例えば、上記の（２θ，Ｉ）のデータ以外に、試料に入射するＸ線の入射角度ωが測定データに入ることもある。また、試料の温度を変化させながらＸ線測定が行われる場合には、温度条件が測定データに入ることもある。
【００３９】
図１の測定装置２が熱分析装置である場合に行われる熱分析として、いわゆる熱重量測定（ＴＧ：Thermogravimetry）を考えれば、熱分析測定は、例えば次のようにして行われる。すなわち、天秤機構の試料皿に試料を載せ、その試料の温度を変化させ、その試料に重量変化があったときにはその重量変化が天秤機構によって測定される。この結果、温度（Ｔ）の変化に応じて生じる試料の重量（Ｇ）の変化が測定される。こうして得られた（Ｔ，Ｇ）のデータが測定データということになる。
【００４０】
熱分析測定としては、上記の熱重量測定の他に、多くの異なった種類の測定方法がある。例えば、示差熱分析（ＤＴＡ：Differential Thermal Analysis）、示差走査熱量測定（ＤＳＣ：Differential Scanning Calorimetry）、熱膨張測定等といった各種の測定がある。測定方法が異なれば、得られる測定データもそれに対応して変化する。
【００４１】
次に、図１の第１記憶領域２１の中には、測定ファイル２３と、補助ファイル２４と、印刷時ファイル２５と、そして履歴情報ファイル２６とが設けられる。測定ファイル２３には、測定装置２によって求められた測定データ及びその測定データに基づいて生成された副次データが格納される。この測定ファイル２３はデータを、例えばバイナリ形式で記憶する。副次データは測定データに加工が加えられて生成されたデータであり、例えば、平滑化処理、バックグラウンド除去処理等といったデータ処理が行われて生成されたデータや、ピークサーチ処理等といったデータ解析が行われて生成されたデータ等が考えられる。
【００４２】
また、測定ファイル２３には、測定データ及び副次データのそれぞれに対してファイル名履歴、使用者履歴、測定内容、解析内容、印刷履歴等に関するデータが付随して記憶される。「ファイル名履歴」とはファイル名がどのような順番、あるいはどのような経緯で付けられたかを表示するデータのことである。例えば、１つの測定データから第１副次データが生成され、次いで第１副次データから第２副次データが生成された場合を考えると、各データの生成順番が分かるようにファイル名履歴が測定データ及び各副次データのそれぞれに付与される。
【００４３】
例えば、「測定データ」→「第１副次データ」→「第２副次データ」の順番で各データが生成される場合には、例えば、測定データに対して「￥ＤＡＴＡ０」のファイル名履歴が付与され、第１副次データに対して「￥ＤＡＴＡ０￥ＤＡＴＡ１」のファイル名履歴が付与され、第２副次データに対して「￥ＤＡＴＡ０￥ＤＡＴＡ１￥ＤＡＴＡ２」のファイル名履歴が付与される。
【００４４】
また、「ファイル名履歴」の中には、どのような条件で（すなわち、どのような処理又は操作を行うことによって）測定データ及び副次データが生成されたか、についての情報も記憶される。例えば、データＡに解析処理であるピークサーチが行われてデータＡ’が作成されたとするならば、データＡ’のファイル名履歴の中に、「ピークサーチ処理を行った旨」の情報が記憶される。
【００４５】
次に、「使用者履歴」とは、該当するファイルが生成されるまでに１つ又は複数のファイルが生成される場合に、それら複数のファイルの生成に携わった使用者を表示するデータである。なお、ファイルが測定データを記憶したファイルであれば、使用者履歴の中には、測定者が使用者として記憶される。通常、測定者又は使用者はコンピュータシステムにログインした後にそのコンピュータシステムを用いて測定を行う。使用者名又は測定者名は、そのログイン時に登録されたオペレータの名称とすることができる。
【００４６】
また、「使用者履歴」の中には、使用者がいつデータ加工を行ったかの情報も記憶される。また、１つの測定が終わって１つのファイル内に測定データ等を記憶してファイルを閉じる前に第三者がそのファイルを利用するためにログイン、すなわち当該ファイルにアクセスしようとした場合には、そのことも「使用者履歴」の中に記憶される。
【００４７】
次に、「測定内容」とは、測定データを生成する際の測定条件及びその他の情報に関するデータである。また、「解析内容」とは、得られた測定データに対してデータ解析を行った場合のその解析条件及びその他の情報に関するデータである。また、「印刷履歴」とは、該当するファイルが生成されるまでに印刷物を作成する旨の指示があったかどうか、あるいは、印刷物を作成する旨の指示がいつあったかを表示するデータである。
【００４８】
図１の補助ファイル２４には、測定データ及び副次データに関連するデータ、例えば温度データ、較正データが記憶される。この補助ファイル２４はデータを、例えばバイナリ形式、テキスト形式等で記憶する。これらの補助データについても、測定データ及び副次データのそれぞれに対して付与されるファイル名履歴と同様のファイル名履歴が付随して記憶される。
【００４９】
印刷時ファイル２５は、プリンタ６を用いて印刷を行う際に生成されるファイルであり、その中には少なくとも、印刷される測定データ又は副次データそのもの、及び印刷履歴情報の２つが記憶される。印刷履歴情報とは、印刷を行うごとにファイル内に蓄積される情報であり、印刷を行った時刻を示す情報である。この印刷履歴情報は、例えば、印刷を行った年月日時分秒を示す数字によって表わすことができる。
【００５０】
履歴情報ファイル２６内には、測定ファイル２３内に記憶される測定データ及び副次データのそれぞれに対応する形式で履歴情報が付随的に記憶される。この履歴情報とは、測定装置２を用いて行われた測定によって求められた測定データ及びその測定データに基づいて生成された副次データが、「いつ、誰によって、どのような条件」で作成されたデータであるかを表示するものである。この履歴情報は、コンピュータシステム内の適所に備えられたクロックからの情報や、オペレータによって入力装置３を介してコンピュータシステム内に入力されて適所に保存された情報等に基づいて、測定データ及び副次データに付随する形式で履歴情報ファイル２６内に記憶される。
【００５１】
測定ファイル２３の中に測定データ及び副次データが記憶されることは既述した。また、それらの測定データ及び副次データに付随してファイル名履歴及び使用者履歴が記憶されることも既述した。また、ファイル名履歴の中に、そのファイルに含まれるデータが「どのような条件」で作成されたかについての情報が記憶されることも既述した。また、その使用者履歴の中に、測定者又は使用者の名前が記憶されること、及び使用者がいつデータ加工を行ったかの情報が記憶されることも既述した。このように、測定ファイル２３の中には、「いつ、誰が、どのような条件で」測定データ又は副次データを作成したかの情報が記憶される。つまり、本実施形態では、履歴情報ファイル２６内に記憶された履歴情報と共通する「いつ、誰が、どのような条件で」副次データ等を作成したかの履歴情報が測定ファイル２３の中に記憶されるということである。
【００５２】
以下、上記構成より成る分析装置についてその動作を説明する。
図２は、図１の分析装置１によって実行される制御の流れを示している。まず、ステップＳ１において、図１の入力装置３を通してオペレータによって測定の指示がなされたか否かが判断され、成されていれば（ステップＳ１でＹＥＳ）、ステップ２に進んで測定用アプリケーションを起動する。測定用アプリケーションが起動すると、図３のステップＳ１１において履歴情報の読込みを行う。既述の通り、この履歴情報は、「いつ、誰が、どのような条件」で測定を行ったかを表示するものである。「いつ」の情報はコンピュータシステム内の適所に設けられたクロックからの情報によっていつでも採取できるので、「いつ」についての情報の読込みはステップＳ１１では、特に、行われない。「誰が」の情報は、入力装置３を通してオペレータからの指示によって行われ、その「誰が」の情報はＲＡＭ８内に一時的に記憶される。
【００５３】
また、「どのような条件で」とは、例えば測定装置２がＸ線測定装置であれば、測角範囲を何度から何度までの間に設定するかといった条件や、モノクロメータ、コリメータ、試料高温装置、サンプルチェンジャ等といったアタッチメントを使うか否かといった条件等である。この情報も、入力装置３を通してオペレータからの指示によって行われ、その情報はＲＡＭ８内に一時的に記憶される。
【００５４】
なお、「誰が」及び「どのような条件で」の情報は、予めそれらについての所定の複数の内容をハードディスク１１内の適宜の領域に記憶しておいて、測定にあたって、オペレータが入力装置３の簡単な操作によってそれらのうちから所望のものを選択するという操作によって決定させることもできる。
【００５５】
以上のような履歴情報の読込みが完了すると（ステップＳ１２でＹＥＳ）、ステップＳ１３において図１の測定装置２を用いた実際の測定が行われる。このときの測定は、ステップＳ１１で読み込まれてＲＡＭ８内に記憶された「どのような条件で」の情報に従って行われる。測定装置２がＸ線測定装置であるとすれば、測定の結果、例えば、回折角度２θに対する回折線強度Ｉのデータ（２θ，Ｉ）が測定データとして求められる。この測定データ（２θ，Ｉ）はＲＡＭ８内に一時的に記憶される。また、上記の測定データを得たときの条件に関する情報、例えば温度条件に関する情報や、データの較正条件に関する情報等、を補助データとしてＲＡＭ８内に一時的に記憶する。
【００５６】
その後、ＣＰＵ７は、ＲＡＭ８内に記憶した上記測定データ、上記補助データ、及び上記履歴情報データをステップＳ１４において、図１のハードディスク１１の第１記憶領域２１内に書き込んで、測定ファイル２３、補助ファイル２４、そして履歴情報ファイル２６を作成する。ここで、測定ファイル２３及び履歴情報ファイル２６はバイナリ形式であり、補助ファイル２４はバイナリ形式及びテキスト形式の混合である。以上により、測定装置２を用いて行われた測定の結果が、第１記憶領域２１内に格納される。
【００５７】
ところで、一般の分析では、測定によって得られた測定データ、すなわち生データに対してデータ加工、例えば平滑化処理、バックグラウンド除去処理等といったデータ処理や、ピークサーチ処理等といったデータ解析、が行われることがある。オペレータがそのようなデータ加工を希望する場合には、オペレータは図１の入力装置３を通してそのことを指示する。ＣＰＵ７は、図３のステップＳ１５において、データ処理及びデータ解析の指示があったか否かを判断し、指示があれば（ステップＳ１５でＹＥＳ）、ステップＳ１６においてそれらの処理を実行する。処理の結果として得られたデータは、図１の第１記憶領域２１内の測定ファイル２３内に格納される。
【００５８】
図４は、図３のステップＳ１３からＳ１６に至る流れを、より具体的に示している。図４のステップＳ２１（すなわち、図３のステップＳ１３）において、図１の測定装置２によって測定が行われる。例えば、Ｘ線回折装置を用いたＸ線回折測定や、熱分析装置を用いた熱分析等が行われる。この測定が終了すると、ステップ２２においてファイルＡが図１の測定ファイル２３内に生成される。
【００５９】
ここで、ファイル（Ａ）内には、（１）測定の結果得られた（２θ，Ｉ）等の測定データ、（２）測定に際して作成されたファイル名履歴、（３）測定に際して作成された使用者履歴等のデータが含まれる。今、ファイルＡのファイル名を「ＤＡＴＡ０」とすれば、上記のファイル名履歴として、例えば「￥ＤＡＴＡ０」が記憶される。また、ファイル（Ａ）内の「ファイル名履歴」及び「使用者履歴」の中には、履歴情報ファイル２６と共通する「いつ、誰が、どのような条件で」測定をしたかの情報が記憶される。
【００６０】
次に、ファイル（Ａ）内に記憶されたデータに対してステップＳ２３においてピークサーチ処理等といったデータ解析が行われる。得られた解析データ（すなわち、副次データ）は、ステップＳ２４においてオペレータによって保存の指示があったとき、ステップＳ２５おいて図１のハードディスク１１内に保存される。これにより、第１の副次ファイル（Ａ’）が図１の測定ファイル２３内に生成される。
【００６１】
ここで、ファイル（Ａ’）内には、（１）解析の結果得られた（２θ，Ｉ）等の副次データ、（２）ファイル（Ａ）から改変されたファイル名履歴、（３）ファイル（Ａ）から改変された使用者履歴、（４）解析内容等のデータが含まれる。今、ファイル（Ａ’）のファイル名を「ＤＡＴＡ１」とすれば、上記のファイル名履歴として、例えば「￥ＤＡＴＡ０￥ＤＡＴＡ１」が記憶される。この履歴は、ＤＡＴＡ１のファイルがＤＡＴＡ０のファイルを基礎として作成されたことを示している。また、ファイル（Ａ’）内の「ファイル名履歴」及び「使用者履歴」の中には、履歴情報ファイル２６と共通する「いつ、誰が、どのような条件で」測定をしたかの情報が記憶される。
【００６２】
次に、ステップＳ２３のデータ解析が終了した後にステップＳ２６においてオペレータによって印刷の指示が図１の入力装置３を介して行われると、図１のプリンタ６が作動して印刷物４６が作成される。この印刷物４６には、視覚によって捕らえられる状態、例えば表、グラフ等の形で解析データが印刷される。また、それと同時に、印刷の対象となったデータが格納されているファイルのそれまでのファイル名履歴が印刷物４６の適所に印刷され、さらに、印刷を行ったときの時刻を示す日付が、例えば年月日時分秒の数字の形で印刷物４６の適所に印刷される。
【００６３】
また、ステップＳ２６において印刷の指示が成されると、ステップＳ２７において図１のＣＰＵ７は自動的に、第２の副次ファイル（Ａ＋）を印刷時ファイルとして図１の測定ファイル２３内に生成する。ここで、印刷時ファイル（Ａ＋）内には、（１）ステップＳ２３のデータ解析の結果得られた（２θ，Ｉ）等の副次データ、（２）ファイル（Ａ）から改変されたファイル名履歴、（３）ファイル（Ａ）から改変された使用者履歴、（４）解析内容、（５）印刷履歴等のデータが含まれる。今、ファイル（Ａ＋）のファイル名を「ＤＡＴＡ２」とすれば、上記のファイル名履歴として、例えば「￥ＤＡＴＡ０￥ＤＡＴＡ２」が記憶される。この履歴は、ＤＡＴＡ２のファイルがＤＡＴＡ０のファイル（Ａ）を基礎として作成されたことを示している。また、ファイル（Ａ＋）内の「ファイル名履歴」及び「使用者履歴」の中には、履歴情報ファイル２６と共通する「いつ、誰が、どのような条件で」データ解析をしたかの情報が記憶される。
【００６４】
「印刷履歴」とは、印刷したときの年月日時分秒のデータである。印刷した日が、例えば２００４年６月１０日の１６時１８分２０秒であれば、印刷履歴として、例えば「2004/06/10_ 16:18:20」等といったデータが印刷履歴情報として記憶される。また、印刷が複数回行われたのであれば、それら複数回分のデータが連続して記憶される。
【００６５】
上記の通り印刷物４６には、印刷の対象であるデータが格納されたファイルのファイル名が印刷され、さらに、印刷された日時も印刷されるので、オペレータは印刷物４６がファイル（Ａ＋） に対応するものであることを極めて容易に判断できる。
【００６６】
次に、ステップＳ２６おいてオペレータが印刷の指示を行った後、それに引き続いてオペレータがステップＳ２８において保存の指示を行うと、ステップＳ２９において第３の副次ファイル（Ａ”）が図１の測定ファイル２３内に生成される。
【００６７】
ここで、ファイル（Ａ”）内には、（１）ステップＳ２３のデータ解析の結果得られた（２θ，Ｉ）等の副次データ、（２）ファイル（Ａ）から改変されたファイル名履歴、（３）ファイル（Ａ）から改変された使用者履歴、（４）解析内容等のデータが含まれる。今、ファイル（Ａ”）のファイル名を「ＤＡＴＡ３」とすれば、上記のファイル名履歴として、例えば「￥ＤＡＴＡ０￥ＤＡＴＡ３」が記憶される。この履歴は、ＤＡＴＡ３のファイルがＤＡＴＡ０のファイル（Ａ）を基礎として作成されたことを示している。
【００６８】
以上のようにして作成されたファイル（Ａ’）、ファイル（Ａ＋）、ファイル（Ａ”）の各ファイルに関しては、それらにさらに加工、例えばデータ処理、データ解析等を加えることができる（ステップＳ３０）。そして、得られた加工データ及びそれに関連するデータを図１の第１記憶領域２１に記憶することができる。例えば、図示は省略するが、第１副次ファイル（Ａ’）に加工が加えられて第４の副次ファイル（Ａ＋＋）を作成することができる。そしてこの場合、この第４副次ファイル（Ａ＋＋）のファイル名を「ＤＡＴＡ４」とすれば、ファイル名履歴には「￥ＤＡＴＡ０￥ＤＡＴＡ１￥ＤＡＴＡ４」が記憶される。この履歴は、第４副次ファイル（Ａ＋＋）が第１副次ファイルＡ’及び測定ファイルＡを基礎とすることを示している。
【００６９】
図５は、図４に示す印刷物４６の一例を示している。この印刷物は、熱分析測定を行って得られた測定データに関する印刷物である。この印刷物は、ハードディスク内に記憶された複数のデータのうちの第２副次ファイル（Ａ＋）に対応する印刷物である。この印刷物には、ファイル名として、符号３１で示すように、「DSC-Pet_Tg(20040610161820)」が印刷されている。また、印刷時刻として、符号３２で示すように、「2004/06/10_16:18:20」の数字が印刷されている。
【００７０】
一方、図４の第２副次ファイル（Ａ＋）の中には、ファイル名履歴として「\DSC-Pet_Tg\DSC-Pet_Tg(20040610161820)」が記憶され、さらに、印刷履歴として「2004/06/10_16:18:20」の数字が記憶される。従って、図５の印刷物を見たオペレータが図１の分析装置１のハードディスク１１内のファイルをファイル名履歴及び印刷履歴に基づいて検索すれば、図５の印刷物が図４の印刷時ファイル（Ａ＋）に対応するものであることを極めて容易に知ることができる。
【００７１】
なお、図５のような印刷物が作製される場合、その印刷物の基礎となる図４の測定ファイル（Ａ）にはどのようなデータが記憶されているかを考えると、その測定ファイル（Ａ）の中には、図６に画像的に示すような各種の電子データが記憶されている。図６において主となる測定データＤ０は、図５に示されている解析データＤ１に関して解析が行われる前の生のデータである。また、ファイル名履歴３１としては、「DSC-Pet_Tg」の文字が記憶される。また、印刷履歴３２としては何も記憶されていない。これは、ファイル（Ａ）に対して未だ印刷処理が行われていないからである。
【００７２】
図４の印刷時ファイル（Ａ＋）のファイル名履歴として「\DSC-Pet_Tg\DSC-Pet_Tg(20040610161820)」が記憶されることは既述した。オペレータはこのファイル名履歴から、印刷時ファイル（Ａ＋）の基礎となるファイルが「DSC-Pet_Tg」のファイルであることを容易に判別できる。従って、図４の印刷物４６がどのような経緯で作製されたものであるかを正確に知ることができる。このように本実施形態によれば、印刷物４６のデータとしての信頼性を非常に高めることができる。
【００７３】
なお、以上の説明では、「いつ、誰が、どのような条件で」データを作成したかの情報、すなわち履歴情報が、測定ファイル２３及び履歴情報ファイル２６の両方に記憶されるものとした。このように、２つのファイル内に履歴情報を記憶するようにすれば、測定データや副次データに改変や改ざんが加えられると、２つのファイル内に記憶された履歴情報に相違が発生し、これにより、改変等が加えられたことを即座に判定できるという効果が得られる。しかしながら、本発明は、測定ファイル２３及び履歴情報ファイル２６の両方に必ず履歴情報を記憶させなければならないというものではなく、それらのファイルのいずれか一方に履歴情報が記憶される場合も含むものである。
【００７４】
（第２実施形態）
図７は、本発明に係る分析装置の他の実施形態を示している。図７において、図１に示した要素と同じ要素は同じ符号を付して示している。それ故、それらの要素の詳しい内容に関しては、図１に関連して既に行った説明を必要に応じて参照できる。
【００７５】
ここに示す分析装置４１は、測定装置２と、入力装置３と、表示手段としての画像表示装置４と、印刷手段としてのプリンタ６と、ＣＰＵ７と、ＲＡＭ８と、ＲＯＭ９と、外部記憶媒体としてのハードディスク５１とを有する。これらの要素はバス１２によって互いにつながれている。これらの要素において、図１の場合と同じ符号のものは同じ要素をしめしている。
【００７６】
ハードディスク５１の内部には、分析用アプリケーションソフト１６と、測定用アプリケーションソフト１７と、そして、ハードディスク５１内に格納されたデータを比較するための比較用アプリケーションソフト１８とが格納される。分析用アプリケーションソフト１６及び測定用アプリケーションソフト１７の機能は図１の第１実施形態の場合と同じである。また、ハードディスク５１の内部には、第１記憶手段として機能する第１記憶領域６１と、第２記憶手段として機能する第２記憶領域６２とが設けられる。
【００７７】
第１記憶領域６１の中には、測定装置２によって求められた測定データ及びその測定データを基礎として求められた副次データを格納するための測定ファイル６３と、測定データ及び副次データに関連するデータを格納するための補助ファイル６４と、上記の測定データ及び副次データをＰＤＦデータとして記憶するためのＰＤＦファイル６８と、そして印刷時ファイル６５とが設けられる。測定データ、副次データ及びそれらに関連するデータの具体的な内容は、図１の第１実施形態の場合と同じである。
【００７８】
ＰＤＦファイルとは、Adobe社製のドキュメントフォーマットであって、１つの同じ画像を特定のプラットフォームに依存せずに表示できるフォーマットである。測定ファイル６３はデータをバイナリ形式で記憶する。また、補助ファイル６４は、測定データに関連するデータ、例えば温度データ、較正データ等を記憶するものであり、記憶形式としてはバイナリ形式、テキスト形式等が採用される。
【００７９】
測定ファイル６３には、１つ又は複数の生の測定データ及びそれらの測定データを基礎として生成された１つ又は複数の副次データが記憶される。図７の測定装置２によって行われる測定が、例えばＸ線回折測定であれば、測定データとしては、例えば（２θ，Ｉ）のデータが得られて記憶される。ここで、「２θ」は試料で回折するＸ線の回折角度、「Ｉ」は試料で回折したＸ線の強度である。
【００８０】
また、測定ファイル６３には、測定データ及び副次データのそれぞれに対してファイル名履歴、使用者履歴、測定内容、解析内容、印刷履歴等に関するデータが付随して記憶される。これらのデータは、図１の測定ファイル２３に記憶されるファイル名履歴、使用者履歴、測定内容、解析内容、印刷履歴等と同じであるので、説明を省略する。
【００８１】
図７の補助ファイル６４には、測定データ及び副次データに関連する補助データ、例えば温度データ、較正データ等が記憶される。これらの補助データについても、測定データ及び副次データのそれぞれに対して付与されるファイル名履歴と同様のファイル名履歴が付随して記憶される。また、ＰＤＦファイル６８には、測定データや副次データに対応するＰＤＦ形式の画像データが記憶される。このＰＤＦデータについても、測定データ及び副次データのそれぞれに対して付与されるファイル名履歴と同様のファイル名履歴が付随して記憶される。
【００８２】
次に、図７の第２記憶領域６２は、第１記憶領域６１とは異なったファイル形式、例えばＸＭＬファイルによって形成される。ＸＭＬは、ＨＴＭＬと同様なマークアップ言語であるが、ＨＴＭＬがテキストデータしか使用できないのに対し、ＸＭＬはデータベース形式のデータはもとより、あらゆる形式のデータを使用できるという特性を有する。本実施形態では、この特性を利用して、ＸＭＬ形式の第２記憶領域６２内に、測定ファイル６３と同じ内容のデータ６３ｘ、補助ファイル６４と同じ内容のデータ６４ｘ、及びＤＰＦファイル６８と同じ内容のデータ６８ｘを格納するようにしている。なお、第２記憶領域６２内に格納する測定データ６３ｘ、補助データ６４ｘ、ＰＤＦデータ６８ｘには、例えば通常のデータ圧縮技術あるいはその他のデータ加工技術で見られるようなエンコード化が施されるものとする。
【００８３】
また、第２記憶領域６２を構成するＸＭＬファイルには、測定ファイル６３ｘ及びＰＤＦファイル６８ｘのそれぞれに対して履歴情報６６が付随的に形成される。この履歴情報６６とは、測定装置２を用いて行われた測定によって求められた測定データ及びそれに基づく副次データが、「いつ、誰によって、どのような条件」で作成されたデータであるかを表示するものである。この履歴情報６６は、コンピュータシステム内の適所に備えられたクロックからの情報や、オペレータによって入力装置３を介してコンピュータシステム内に入力されて適所に保存された情報等に基づいて、ＸＭＬファイル６２内に測定データ及び副次データを書き込んで測定ファイル６３ｘ等を生成する毎に、その測定ファイル６３ｘ等に付属するように形成される。本実施形態では、ＸＭＬファイル６２内に測定ファイル６３ｘ及びＰＤＦファイル６８ｘを書き込む毎に新たな履歴情報６６がそれらのファイルの個々に対して付随的に形成されるものとする。
【００８４】
また、第２記憶領域６２内にはチェックサム６７が設けられる。このチェックサム６７は周知のようにファイル内に含まれるデータ数の合計値を記憶する領域である。第２記憶領域６２内に測定データ６３ｘ、ＰＤＦファイル６８ｘ、及び補助ファイル６４ｘが書き込まれたとき、このチェックサム６７内にそれらのファイル内のデータ数を合計した値が書き込まれて保存される。
【００８５】
以下、上記構成より成る分析装置についてその動作を説明する。
図８は、図７の分析装置４１によって実行される制御の流れを示している。まず、ステップＳ２１において、図７の入力装置３を通してオペレータによって測定の指示がなされたか否かが判断され、成されていれば（ステップＳ２１でＹＥＳ）、ステップＳ２２に進んで測定用アプリケーションを起動する。これにより、図７の測定装置２を用いてＸ線分析や熱分析が行われる。ステップＳ２２の測定用アプリケーションについての詳しい説明は後述する。
【００８６】
その後、ステップＳ２３において、オペレータによって履歴チェックの要求があったか否かが判断され、有ったと判断されれば（ステップＳ２３でＹＥＳ）、ステップＳ２４に進んで、図７のＸＭＬファイル６２内の履歴情報６６を、測定ファイル６３ｘ及びＰＤＦファイル６８ｘのそれぞれについて、図７の画像表示装置４の画面上に表示する。又は、それらの履歴情報６６をプリンタ６によって印字する。オペレータは表示されたそれぞれの履歴情報６６を比較できる。
【００８７】
これらの履歴情報６６は、基本的には、図７のＸＭＬファイル６２内に測定ファイル６３ｘ及びＰＤＦファイル６８ｘを作成したときに同時に作成されたものであるので、測定ファイル６３ｘについての履歴情報６６とＰＤＦファイル６８ｘについての履歴情報６６は同じはずである。仮に、これらの履歴情報６６，６６の間で何等かの違いがあれば、測定ファイル６３ｘ及びＰＤＦファイル６８ｘのいずれかのデータに手が加えられたもの、場合によっては改ざんが加えられたものと判断できる。ステップＳ２３において、履歴チェックの要求がなければ（ステップＳ２３でＮＯ）、履歴情報の表示は行われない。
【００８８】
次に、ステップＳ２５において、オペレータによってデータ比較の要求があったか否かが判断され、有ったと判断されれば（ステップＳ２５でＹＥＳ）、ステップＳ２６に進んで、比較用アプリケーションを起動する。この比較用アプリケーションは、ハードディスク５１内に格納された測定ファイル６３、補助ファイル６４、ＰＤＦファイル６８等の内部のデータが正しいものかどうかをチェックするための処理を実行するものであるが、詳しくは後述する。
【００８９】
ステップＳ２２に戻って測定用アプリケーションを詳しく説明する。この測定用アプリケーションの大きな流れは図３に示した先の実施形態の場合と同じであるので、以下、図３を兼用して説明する。まず、図３のステップＳ１１において履歴情報６６の読み込みを行う。この履歴情報６６は、図７のＸＭＬファイル６２内に格納するための情報である。記述の通り、この履歴情報６６は、「いつ、誰が、どのような条件」で測定を行ったかを表示するものである。「いつ」の情報はコンピュータシステム内の適所に設けられたクロックからの情報によっていつでも採取できるので、「いつ」についての情報の読込みはステップＳ１１では、特に、行われない。「誰が」の情報は、入力装置３を通してオペレータからの指示によって行われ、その「誰が」の情報はＲＡＭ８内に一時的に記憶される。
【００９０】
また、「どのような条件で」とは、例えば測定装置２がＸ線測定装置であれば、測角範囲を何度から何度までの間に設定するかといった条件や、モノクロメータ、コリメータ、試料高温装置、サンプルチェンジャ等といったアタッチメントを使うか否かといった条件等である。この情報も、入力装置３を通してオペレータからの指示によって行われ、その情報はＲＡＭ８内に一時的に記憶される。
【００９１】
なお、「誰が」及び「どのような条件で」の情報は、予めそれらについての所定の複数の内容をハードディスク１１内の適宜の領域に記憶しておいて、測定にあたって、オペレータが入力装置３の簡単な操作によってそれらのうちから所望のものを選択するという操作によって決定させることもできる。
【００９２】
以上のような履歴情報の読込みが完了すると（ステップＳ１２でＹＥＳ）、ステップＳ１３において図７の測定装置２を用いた実際の測定が行われる。このときの測定は、ステップＳ１１で読み込まれてＲＡＭ８内に記憶された「どのような条件で」の情報に従って行われる。測定装置２がＸ線測定装置であるとすれば、測定の結果、例えば、回折角度２θに対する回折線強度Ｉのデータ（２θ，Ｉ）が測定データとして求められる。この測定データ（２θ，Ｉ）はＲＡＭ８内に一時的に記憶される。また、上記の測定データを得たときの条件に関する情報、例えば温度条件に関する情報や、データの較正条件に関する情報等、を補助データとしてＲＡＭ８内に一時的に記憶する。さらに、ＣＰＵ７は、求められた測定データ（２θ，Ｉ）に基づいて画像データであるＰＤＦデータを生成する。そして、このＰＤＦデータもＲＡＭ８内に一時的に記憶する。
【００９３】
その後、ＣＰＵ７は、ＲＡＭ８内に記憶した上記測定データ、上記補助データ、及び上記ＰＤＦデータをステップＳ１４において、図７のハードディスク５１の第１記憶領域６１内に書き込んで、測定ファイル６３、補助ファイル６４、そしてＰＤＦファイル６８を作成する。ここで、測定ファイル６３はバイナリ形式であり、補助ファイル６４はバイナリ形式及びテキスト形式の混合であり、ＰＤＦファイル６８はAdobe社によって提供されたフォーマットである。
【００９４】
また、ＣＰＵ７は、第１記憶領域６１内に上記の各ファイルを形成するのと同時に、ＸＭＬファイルである第２記憶領域６２内に、測定ファイル６３ｘ、補助ファイル６４ｘ、そしてＰＤＦファイル６８ｘを作成する。このとき、これらのファイルは所定の処理に従ってエンコード化された状態でＸＭＬファイル６２内に格納される。周知の通りマークアップ言語としてのＸＭＬはデータベース形式の言語で表わされたデータはもとより、任意の言語で記述されたデータを使用できるので、上記のエンコード化された各ファイルは支障なくＸＭＬファイル６２内に格納される。
【００９５】
また、ＣＰＵ７は、ＸＭＬファイル６２内に各ファイル６３ｘ、６４ｘ及び６８ｘを作成するのと同時に、「いつ、誰が、どのような条件で」測定を行ったかという情報、すなわち履歴情報６６を、測定ファイル６３ｘ及びＰＤＦファイル６８ｘのそれぞれに対して書き込む。さらに、ＣＰＵ７はそれと同時に、測定ファイル６３ｘ、ＰＤＦファイル６８ｘ及び補助ファイル６４ｘ内のデータ数の合計を演算し、その値をチェックサム６７として記憶する。以上により、測定装置２を用いて行われた測定の結果が、第１記憶領域６１及び第２記憶領域６２のそれぞれの領域内に格納される。
【００９６】
ところで、一般の分析では、測定によって得られた測定データ、すなわち生データに対して平滑化処理、バックグラウンド除去処理等といったデータ処理が行われたり、ピークサーチ処理等といったデータ解析が行われたりする。オペレータがそのようなデータ加工を希望する場合には、オペレータは図７の入力装置３を通してそのことを指示する。ＣＰＵ７は、図３のステップＳ１５において、データ加工の指示があったか否かを判断し、指示があれば（ステップＳ１５でＹＥＳ）、ステップＳ１６においてそれらの処理を実行する。処理の結果として得られたデータは、図７の第１記憶領域６１内の測定ファイル６３に格納され、さらに第２記憶領域６２内の測定ファイル６３ｘに格納される。
【００９７】
以上により、測定に関する全ての処理が終了し、図７の第１記憶領域６１及び第２記憶領域６２内に所望のデータが得られる。オペレータは、必要に応じてこのデータを読み出して種々の研究を行うことができる。しかしながら、産業界においては、測定の結果として得られたデータが不幸にして第三者によって改ざんされるという事態が生じることがある。このような改ざんが発生すると、健全な研究を継続して行うことができなくなる。
【００９８】
そのため、測定の結果として得られたデータが改ざんされることなく適正に保存されているか否かをチェックしたいという要望が従来からあった。本実施形態では、以下の処理によりそのような要望に応えている。すなわち、オペレータがデータのチェックを行いたいと希望する場合には、図７の入力装置３に対して所定の操作を行う。この操作が行われると、ＣＰＵ７は図８のステップＳ２５においてデータ比較の要求があったことを認知し（ステップＳ２５でＹＥＳ）、ステップＳ２６において比較用アプリケーションを起動する。
【００９９】
比較用アプリケーションが起動すると、図９のステップＳ３１において、ＣＰＵ７は図７のＸＭＬファイル６２内の全データを読み出してＲＡＭ８内に一時的に記憶する。このとき、エンコード化されていたデータは、コンピュータによって処理可能な形にデコードされる。また、このとき、読み出された全データに対して新たにチェックサムが演算される。
【０１００】
次に、ステップ３２において、ＸＭＬファイル６２内に保存されていたチェックサムと、ステップＳ３１で新たに作成されたチェックサムとを比較する。この比較の結果、チェックサムが異なっていれば、第１記憶領域６１内の何等かのデータ又は第２記憶領域６２内の何等かのデータに改変が加えられた可能性が高いと考えられる。従って、このときには、ステップＳ３７へ進んで、図７の画像表示装置４の画面上に改ざんがあった旨の表示を行う。
【０１０１】
ステップＳ３２で２つのチェックサムが同じであると判断されたとき（ステップＳ３２でＹＥＳ）、ＣＰＵ７は、オペレータによって画像表示の要求があったか否かをステップＳ３３で判断し、さらに、印字表示の要求があったか否かをステップＳ３５において行う。画像表示の要求があったときには（ステップＳ３３でＹＥＳ）、ステップＳ３４において、ステップＳ３１で読み出した新しいデータと、図７の第１記憶領域６１内に保存されているデータとの両方を、画像表示装置４の同じ画面上に並べて、あるいは、異なった画面上に別々に表示する。また、印字表示の要求があったときには（ステップＳ３５でＹＥＳ）、ステップＳ３６において、ステップＳ３１で読み出した新しいデータと、図７の第１記憶領域６１内に保存されているデータとの両方を、プリンタ６によって印刷する。
【０１０２】
オペレータは、画像表示装置４の画面上に表示された２つのデータを見比べて、あるいは、印刷された２つのデータを見比べて、両者が同じであるか異なっているかを判断する。表示された２つのデータが同じであれば、図７の第１記憶領域６１及び第２記憶領域６２のそれぞれに格納されているデータには改変が加えられていないものと判断できる。一方、比較された２つのデータに違いがあれば、いずれかのデータに改変が加えられたものと判断できる。改変が加えられたデータは信頼性が低いので、破棄しても良い。
【０１０３】
図１０は、図３のステップＳ１３からＳ１６に至る流れを、より具体的に示している。図１０のステップＳ４１（すなわち、図３のステップＳ１３）において、図７の測定装置２によって測定が行われる。例えば、Ｘ線回折装置を用いたＸ線回折測定や、熱分析装置を用いた熱分析等が行われる。この測定が終了すると、ステップ４２において、図７の測定ファイル６３内にファイル（Ａ）が生成され、さらに、ファイル（Ａ）に関連するＸＭＬファイル（ＡＸＭＬ）がＸＭＬファイル６２内に生成される。
【０１０４】
ここで、ファイル（Ａ）内には、（１）測定の結果得られた（２θ，Ｉ）等の測定データ、（２）測定に際して作成されたファイル名履歴、（３）測定に際して作成された使用者履歴等のデータが含まれる。また、ファイル（ＡＸＭＬ）内には、（１）ファイル（Ａ）のデータ、（２）ファイル（Ａ）の印刷イメージ、（３）履歴情報、（４）測定情報等のデータが含まれる。今、ファイル（Ａ）のファイル名を「ＤＡＴＡ０」とすれば、上記のファイル名履歴として、例えば「￥ＤＡＴＡ０」が記憶される。また、ファイル（Ａ）内の「ファイル名履歴」及び「使用者履歴」の中には、ファイル（ＡＸＭＬ）内の「履歴情報」と共通する「いつ、誰が、どのような条件で」測定をしたかの情報が記憶される。
【０１０５】
次に、ファイル（Ａ）内に記憶されたデータに対してステップＳ４３においてデータ解析、例えばピークサーチ処理が行われる。得られた解析データはステップＳ４４においてオペレータの指示に従って図７のハードディスク５１内に保存される。これにより、ステップＳ４５において第１の副次ファイル（Ａ’）が図７の測定ファイル６３内に生成され、さらに第１副次ファイル（Ａ’）に関連するＸＭＬファイル（Ａ’ＸＭＬ）がＸＭＬファイル６２内に生成される。
【０１０６】
ここで、ファイル（Ａ’）内には、（１）解析の結果得られた（２θ，Ｉ）等の副次データ、（２）ファイル（Ａ）から改変されたファイル名履歴、（３）ファイル（Ａ）から改変された使用者履歴、（４）解析内容等のデータが含まれる。また、ファイル（Ａ’ＸＭＬ）内には、（１）ファイル（Ａ’）のデータ、（２）ファイル（Ａ’）の印刷イメージ、（３）履歴情報等のデータが含まれる。今、ファイル（Ａ’）のファイル名を「ＤＡＴＡ１」とすれば、上記のファイル名履歴として、例えば「￥ＤＡＴＡ０￥ＤＡＴＡ１」が記憶される。この履歴は、「ＤＡＴＡ１」のファイルが「ＤＡＴＡ０」のファイルを基礎として作成されたことを示している。また、ファイル（Ａ’）内の「ファイル名履歴」及び「使用者履歴」の中には、ファイル（Ａ’ＸＭＬ）内の「履歴情報」と共通する「いつ、誰が、どのような条件で」測定をしたかの情報が記憶される。
【０１０７】
次に、ステップＳ４３のデータ解析が終了した後にステップＳ４６においてオペレータによって印刷の指示が図７の入力装置３を介して行われると、図７のプリンタ６が作動して印刷物４６が作成される。この印刷物４６には、視覚によって捕らえられる状態、例えば表、グラフ等の形で解析データが印刷される。また、それと同時に、それまでのファイル名履歴及び印刷した年月日時分秒が印刷物４６の適所に印刷され、さらに、印刷を行ったときの時刻を示す日付が、例えば年月日時分秒の数字の形で印刷物４６の適所に印刷される。
【０１０８】
また、ステップＳ４６において印刷の指示が成されると、図７のＣＰＵ７はステップＳ４７において自動的に、第２の副次ファイル（Ａ＋） を印刷時ファイルとして図７の測定ファイル６３内に生成し、さらに第２副次ファイル（Ａ＋） に関連するファイル（Ａ＋ＸＭＬ）をＸＭＬファイル６２内に生成する。
【０１０９】
ここで、印刷時ファイル（Ａ＋） 内には、（１）ステップＳ４３のデータ解析の結果得られた（２θ，Ｉ）等の副次データ、（２）ファイル（Ａ）から改変されたファイル名履歴、（３）ファイル（Ａ）から改変された使用者履歴、（４）解析内容、（５）印刷履歴等のデータが含まれる。また、ファイル（Ａ＋ＸＭＬ）内には、（１）ファイル（Ａ＋） のデータ、（２）ファイル（Ａ＋）の印刷イメージ、（３）履歴情報等のデータが含まれる。今、ファイル（Ａ＋） のファイル名を「ＤＡＴＡ２」とすれば、上記のファイル名履歴として、例えば「￥ＤＡＴＡ０￥ＤＡＴＡ２」が記憶される。この履歴は、「ＤＡＴＡ２」のファイルが「ＤＡＴＡ０」のファイルＡを基礎として作成されたことを示している。
【０１１０】
上記の「印刷履歴」とは、印刷したときの年月日時分秒のデータである。印刷した日が、例えば２００４年６月１０日の１６時１８分２０秒であれば、印刷履歴として、例えば「2004/06/10_ 16:18:20」等のデータが印刷履歴情報として記憶される。印刷が複数回行われたのであれば、それら複数回分のデータが連続して記憶される。
【０１１１】
上記の通り印刷物４６には、印刷の対象であるデータが格納されたファイルのファイル名が印刷され、さらに印刷された日時も印刷されるので、オペレータは印刷物４６がファイル（Ａ＋） に対応するものであることを極めて容易に判断できる。
【０１１２】
次に、ステップＳ４６においてオペレータが印刷の指示を行った後、それに引き続いてオペレータがステップＳ４８において保存の指示を行うと、ステップＳ４９において第３の副次ファイル（Ａ”）が図７の測定ファイル６３内に生成され、さらに第３副次ファイル（Ａ”）に関連するファイル（Ａ”ＸＭＬ）がＸＭＬファイル６２内に生成される。
【０１１３】
ここで、ファイル（Ａ”）内には、（１）ステップＳ４３のデータ解析の結果得られた（２θ，Ｉ）等の副次データ、（２）ファイル（Ａ）から改変されたファイル名履歴、（３）ファイル（Ａ）から改変された使用者履歴、（４）解析内容等のデータが含まれる。また、ファイル（Ａ”ＸＭＬ）内には、（１）ファイル（Ａ”）のデータ、（２）ファイル（Ａ”）の印刷イメージ、（３）履歴情報等のデータが含まれる。今、ファイル（Ａ”）のファイル名を「ＤＡＴＡ３」とすれば、上記のファイル名履歴として、例えば「￥ＤＡＴＡ０￥ＤＡＴＡ３」が記憶される。この履歴は、「ＤＡＴＡ３」のファイルが「ＤＡＴＡ０」のファイルを基礎として作成されたことを示している。また、ファイル（Ａ”）内の「ファイル名履歴」及び「使用者履歴」の中には、ファイル（Ａ”ＸＭＬ）内の「履歴情報」と共通する「いつ、誰が、どのような条件で」測定をしたかの情報が記憶される。
【０１１４】
以上のようにして作成されたファイル（Ａ’）、ファイル（Ａ’ＸＭＬ）、ファイル（Ａ＋）、ファイル（Ａ＋ＸＭＬ）、ファイル（Ａ”）、ファイル（Ａ”ＸＭＬ）の各ファイルに関しては、それらにさらに加工、例えばデータ処理、データ解析等を加えることができる（ステップＳ５０）。そして、得られた加工データ及びそれに関連するデータを図７の第１記憶領域６１及び第２記憶領域６２に記憶することができる。
【０１１５】
例えば、図示は省略するが、第１副次ファイル（Ａ’）に加工が加えられて第４の副次ファイル（Ａ＋＋）を作成することができる。そしてこの場合、この第４副次ファイル（Ａ＋＋）のファイル名を「ＤＡＴＡ４」とすれば、ファイル名履歴には「￥ＤＡＴＡ０￥ＤＡＴＡ１￥ＤＡＴＡ４」が記憶される。この履歴は、第４副次ファイル（Ａ＋＋）が第１副次ファイル（Ａ’）及び測定ファイル（Ａ）を基礎とすることを示している。
【０１１６】
本実施形態では、図１０のステップＳ４６で示すように印刷が実行されると、ステップＳ４７で示すように自動的に印刷時ファイル（Ａ＋） が生成される。そして、その印刷時ファイル（Ａ＋） の中には、データ解析の結果として得られた解析データ、すなわち副次データが含まれている。このため、仮に印刷時ファイルの基礎である測定ファイル（Ａ）に対して改変や改ざんが加えられたとしても、印刷物４６に対応する印刷時ファイルをオリジナルのままで残すことができ、そのファイルの内容を必要なときに自由に見ることができる。
【０１１７】
また、印刷物４６には印刷時ファイル（Ａ＋） を特定できる情報、すなわちファイル名や印刷時刻等が印刷されるので、印刷物４６から印刷時ファイル（Ａ＋） を簡単且つ正確に特定できる。以上により、図１０に示すように多数のファイルが生成されて記憶媒体内に記憶される場合であって、それらのファイル内の１つのファイルに含まれるデータを印刷したとき、その印刷によって得られた印刷物４６のデータとしての信頼性を高めることができる。
【０１１８】
さらに、本実施形態では、測定や解析等によって得られた１次データを格納したデータファイル（Ａ）、（Ａ’）、（Ａ＋）、（Ａ”）のそれぞれに、それらの内容と同じ内容を含んだＸＭＬファイル（ＡＸＭＬ）、（Ａ’ＸＭＬ）、（Ａ＋ＸＭＬ）、（Ａ”ＸＭＬ）の各ファイルを付随的に生成した。この点が図４に示した先の実施形態と異なっている。図４に示した実施形態では、データファイル（Ａ）、（Ａ’）、（Ａ＋）、（Ａ”）が生成されるだけで、それらに付随するＸＭＬファイルは生成されない。
【０１１９】
測定ファイルや副次ファイルの１次データの個々に対してＸＭＬファイルを生成しない場合には、測定ファイルや副次ファイルが改ざんされた場合に、正確なファイル管理ができなくなるおそれがある。つまり、信頼性の高いファイル管理を行うことができないおそれがある。これに対し、本実施形態のように測定ファイル及び副次ファイルの個々に対してＸＭＬファイルを作成することにすれば、測定ファイルとＸＭＬファイルとの比較及び副次ファイルとＸＭＬファイルとの比較により、ファイルの改ざん又はファイルに何等かの手が加えられたことを確実に確認できる。このため、複数のファイル間で極めて正確なファイル管理を行うことが可能となる。
【０１２０】
ところで、現在の分析装置の分野においては、監査証跡の確保が要求されるようになって来ている。この監査証跡とは、複数のデータファイルを監督して検査する際にその検査の証拠となる痕跡のことである。この監査証跡は、例えば、データがどのような履歴を経て作成されたのかとか、データが改ざんされたものであるかどうか等を検査する際にその検査の根拠として利用されるものである。本実施形態では、測定ファイルや副次ファイルの１次データを格納したデータファイル（Ａ）、（Ａ’）、（Ａ＋）、（Ａ”）のそれぞれに付随してＸＭＬファイル（ＡＸＭＬ）、（Ａ’ＸＭＬ）、（Ａ＋ＸＭＬ）、（Ａ”ＸＭＬ）の各ファイルを生成したので、確実な監査証跡を確保できるようになっている。
【０１２１】
また、本実施形態では、図７の第１記憶領域６１の測定ファイル６３と、第２記憶領域６２の履歴情報６６のファイルに、共通の履歴情報を記憶するようにした。このため、それらの履歴情報を比較することにより、それらのファイルに改変や改ざんが加えられたか否かを、極めて容易に且つ正確に判定できる。
【０１２２】
次に、図１１は複数のファイルの生成形態の一例を模式的に示す図であって、図１０に示したファイルの生成形態とは異なったファイル生成形態を示している。図１１のステップＳ６１において、図７の測定装置２を用いた測定、例えば、Ｘ線回折測定、熱分析測定等が行われる。そして、その測定の結果、ステップ６２において、図７の測定ファイル６３内に測定ファイル（Ａ）が生成され、さらに、ファイルＡに関連するファイル（ＡＸＭＬ）がＸＭＬファイル６２内に生成される。なお、ファイル（Ａ）とファイル（ＡＸＭＬ）の中に共通の履歴情報が記憶される。
【０１２３】
オペレータは、ステップＳ６３に示すように、ＸＭＬ形式のファイル（ＡＸＭＬ）から第１副次ファイルとしてデータファイル（Ａ’）を抽出することができる。このデータファイル（Ａ’）は、測定結果として見ればデータファイル（Ａ）と同じ内容であるが、ＸＭＬファイル（ＡＸＭＬ）から抽出されたデータであるという履歴情報が付加される点でデータファイル（Ａ）と異なっている。オペレータは、ＸＭＬファイル（ＡＸＭＬ）から抽出したそのデータファイル（Ａ’）に対してデータ解析及び保存を行うことができ、また、得られた解析結果を必要に応じて印刷することができる。
【０１２４】
オペレータが保存又は印刷の指示を行うと、ステップＳ６４において第２副次ファイル又は印刷時ファイルとしてのデータファイル（Ａ’s）及びそれに付随するＸＭＬファイル（Ａ’sＸＭＬ）が図７のハードディスク５１内に記憶される。なお、ファイル（Ａ's）とファイル（Ａ'sＸＭＬ）の中に共通の履歴情報が記憶される。
【０１２５】
ステップＳ６５及びステップＳ６６は、上記説明と同様の処理が繰り返された状態を示している。これらの処理により、第３副次ファイル又は印刷時ファイルとしてのデータファイル（Ａ’１’）及び第４副次ファイル又は印刷時ファイルとしてのデータファイル（Ａ’１’s） がそれぞれに生成され、そして図７のハードディスク５１にそれぞれに記憶される。
【０１２６】
また、ステップＳ６７に示すように、オペレータは第２副次ファイル（Ａ’s）に対してデータ解析及び保存を行うことができ、また、必要に応じて印刷を行うことができる。オペレータが保存又は印刷の指示を行うと、ステップＳ６７において第５副次ファイル又は印刷時ファイルとしてのデータファイル（Ａ’SS）及びそれに付随するＸＭＬファイル（Ａ'SSＸＭＬ）が図７のハードディスク５１内に記憶される。なお、ファイル（Ａ’ss）とファイル（Ａ’SSＸＭＬ）の中に共通の履歴情報が記憶される。
【０１２７】
また、オペレータはステップＳ６８において第５副次ファイル（Ａ’SS）に対してファイル名を変更する処理を行うことができる。このファイル名変更を行った後に保存の指示を行うと、第６副次ファイルとしてのデータファイル（Ｂ＋）が図７のハードディスク５１内に記憶される。そしてその後、オペレータはファイル名変更したデータファイル（Ｂ＋）に対してステップＳ６９において、データ解析及び保存、又は必要に応じて印刷を行うことができ、それに応じて第７副次ファイル又は印刷時ファイルとしてのデータファイル（Ｂ＋’）及びそれに付随するＸＭＬファイル（Ｂ＋’ＸＭＬ）が図７のハードディスク５１内に記憶される。なお、ファイル（Ｂ＋’）とファイル（Ｂ＋’ＸＭＬ）の中に共通の履歴情報が記憶される。
【０１２８】
以下、同様にして、オペレータは、ステップＳ７０において測定ファイル（Ａ）に基づいて第８副次データ又は印刷時データとしてのデータファイル（Ａ１）を作ることができ、ステップＳ７１において第９副次データとしてのデータファイル（Ａ１’）を作ることができ、さらに、ステップＳ７２において第１０副次データ又は印刷時データとしてのデータファイル（Ａ１）を作ることができる。
【０１２９】
以上のように、１つの測定データファイル（Ａ）が実際の測定によって得られると、それを基礎として多くの副次ファイル又は印刷時ファイルが生成されて、それらが図７のハードディスク５１に記憶される。特に、印刷時ファイルは印刷が行われる度に自動的に生成され、その印刷時ファイルの中には、データ解析等の結果として得られた副次データが含まれている。このため、印刷時ファイルの基礎である測定ファイル、副次ファイル等に対して改変や改ざんが加えられたとしても、印刷物に対応するファイルを印刷時ファイルとして残すことができ、そのファイルの内容を必要なときに自由に見ることができる。また、印刷物には印刷時ファイルを特定できる情報、例えばファイル名や印刷時刻等を印刷することができるので、印刷物から印刷時ファイルを簡単且つ正確に特定できる。以上により、図１１に示すように多数のファイルが生成されて記憶媒体内に記憶される場合であって、それらのファイル内の１つのファイルに含まれるデータを印刷したとき、その印刷によって得られた印刷物のデータとしての信頼性を高めることができる。
【０１３０】
また、図１１に示す複数の副次ファイル又は印刷時ファイル（Ａ）、（Ａ’）、（Ａ’s）、・・・やＸＭＬファイル（ＡＸＭＬ）、（Ａ’ｓＸＭＬ）、・・・を監査証跡として利用することを考える場合には、これらのファイルは互いに関連して管理されなければならない。本実施形態では、図１０に関連して説明したように、各副次ファイルのファイル名が個々に単体として記憶されるのではなく、「￥ＤＡＴＡ０￥ＤＡＴＡ１￥ＤＡＴＡ２」のような、いわゆるツリー構造、すなわち連結構造、すなわち互いに関連する形でハードディスク５１内に記憶される。このため、多数のファイルが生成されても個々のファイルがどのような経過を経て作成されたものであるのかを、極めて簡単に確認できる。
【０１３１】
しかも、個々のデータファイルにはＸＭＬファイルが付随して生成され、それらのＸＭＬファイルにはデータファイルと同じデータ及びデータファイルに関連するデータがデータファイルとは異なったファイル形式で記憶されているので、データファイルとＸＭＬファイルとを比較することにより、データファイルに改ざんが加えられたかどうかを確実に検査できる。従って、本実施形態によれば、極めて信頼性の高いファイル管理を行うことができる。
【０１３２】
また、図７の第１領域６１の測定ファイル６３に含まれるファイル（Ａ）等と、ＸＭＬファイルである第２記憶領域６２の履歴情報６６のファイルには、共通の履歴情報が記憶されるので、それらの履歴情報を比較することにより、それらのファイルに改変や改ざんが加えられたか否かを、極めて容易に且つ正確に判定できる。
【０１３３】
（その他の実施形態）
以上、好ましい実施形態を挙げて本発明を説明したが、本発明はその実施形態に限定されるものでなく、請求の範囲に記載した発明の範囲内で種々に改変できる。
例えば、上記の実施形態では図１及び図７の測定装置２として主にＸ線分析装置を考えたが、これに代えて熱分析装置、あるいはその他の任意の分析用機器を測定装置２とすることもできる。
【０１３４】
また、図７の実施形態では、第２記憶領域６２をＸＭＬファイルによって構成したが、第２記憶領域６２は他のファイル形式によって構成することもできる。このようなファイル形式として、例えば、マイクロソフト社のデータベースソフトであるアクセスにおいて使用されているＭＤＢ形式を使用することもできる。
【産業上の利用可能性】
【０１３５】
本発明に係る分析装置は、コンピュータによって管理される分析装置においてデータの信頼性を高めるために好適に用いられる。
【図面の簡単な説明】
【０１３６】
【図１】本発明に係る分析装置の一実施形態を示すブロック図である。
【図２】図１の分析装置によって実行される制御の流れを示すフローチャートである。
【図３】図２のフローチャート内のサブルーチンを示すフローチャートである。
【図４】図３のフローチャート内の一部の流れを具体的に示すフローチャートである。
【図５】印刷物の一例を示す図である。
【図６】図５の印刷物に対応する印刷時ファイル内の電子データを可視情報の形で示す図である。
【図７】本発明に係る分析装置の他の実施形態を示すブロック図である。
【図８】図７の分析装置によって実行される制御の流れの一例を示すフローチャートである。
【図９】図８のフローチャート内のサブルーチンを示すフローチャートである。
【図１０】図３のフローチャート内の一部の流れを具体的に示すフローチャートであって印刷時ファイルの生成形態の一例を示す図である。
【図１１】印刷時ファイルの生成形態の他の一例を示すフローチャートである。
【符号の説明】
【０１３７】
１，４１．分析装置、  ２．測定装置（測定手段）、  ４．画像表示装置（表示手段）、
６．プリンタ（印刷手段）、  １１，５１．ハードディスク（記憶媒体）、
１２．バス、  ２１，６１．第１記憶領域（第１記憶手段）、  ３１．ファイル名、
３２．印刷時刻、  ４６．印刷物、  ６２．第２記憶領域（第２記憶手段）
【図１】
2006145371.tif 000003
【図２】
2006145371.tif 000004
【図３】
2006145371.tif 000005
【図４】
2006145371.tif 000006
【図５】
2006145371.tif 000007
【図６】
2006145371.tif 000008
【図７】
2006145371.tif 000009
【図８】
2006145371.tif 000010
【図９】
2006145371.tif 000011
【図１０】
2006145371.tif 000012
【図１１】
2006145371.tif 000013